(57)【要約】      （修正有）【課題】フランジ接合部の隙間を測定するに際して、テーパーゲージの機能を果たす楔型の貫入部をフランジの隙間へ挿入する貫入力および貫入角度を一定にするフランジ隙間計測治具を提供する。【解決手段】楔型の貫入部６０に回転可能に接合した目盛軸７０を設け、目盛軸７０と同軸上に目盛軸を設定トルク範囲で回転させるダイヤル８０を有し、目盛軸７０を支持するとともにフランジ２０の外周面に当接するゲージベース５０を有し、ゲージベース５０と目盛軸７０とを螺合するようフランジ隙間計測治具１００を構成する。【選択図】図１
2015059755.tif 000002
【特許請求の範囲】
【請求項１】
フランジ接合部の隙間を測定する測定治具であって、楔型の貫入部の送出を行う該貫入部に回転可能に接合した目盛軸を設け、該目盛軸と同軸上に該目盛軸を設定トルク範囲で回転させるダイヤルを有し、前記目盛軸を支持するとともに前記フランジの外周面に当接するゲージベースを有し、前記ゲージベースと前記目盛軸とを螺合するよう構成したことを特徴とするフランジ隙間計測治具。
【請求項２】
前記ダイヤルが該ダイヤルの円周方向から中心に向かって嵌入された複数のイモネジを有し、該イモネジに同軸上に貫入されたスプリングを有し、前記目盛軸と前記スプリングとの摩擦力によって前記目盛軸に回転トルクを伝達することを特徴とする請求項１に記載のフランジ隙間計測治具。
【請求項３】
前記ゲージベースに複数の突起部を設け、前記ゲージベースの上下端部にフランジの外周面に当接する凹部を有する支持板が設けられるとともに、複数の突起部を有し、フランジの外周面に沿って張設したゴムバンドを前記突起部に掛り止めして前記フランジに固定することを特徴とする請求項１または請求項２に記載のフランジ隙間計測治具。
【発明の詳細な説明】
【技術分野】
【０００１】
本発明は、フランジ隙間計測治具に係り、特にゲージの貫入力を一定にするフランジ隙間計測治具に関する。
【背景技術】
【０００２】
発電プラントや化学プラントなどでは配管同士の接合にフランジが用いられており、その数はプラントの規模にもよるが数百から数千か所にもなる。建設時あるいは定期検査時にはそのフランジの接合作業が行われるが、その際フランジの全周に亘って均等にボルトを締めることで漏れを生じない良好な接合が行えるとされている。このボルトを均等に締めるやり方としては、フランジ間の隙間を一定にしながら接合する方法（隙間管理）とボルトの締め付けトルクを一定にしながら接合する方法（トルク管理）があり、いずれを選択するかは内部に挿入されるガスケットやパッキンの特性などに依存する。
【０００３】
前者の隙間測定の方法としては、薄い金属片（リーフ）を隙間に挿入する方法（隙間ゲージまたはシクネスゲージの使用）や楔型の目盛を隙間に挿入する方法（テーパーゲージの使用）が簡単で一般的であるが、測定者によるゲージの挿入（貫入）力やゲージの当て方（貫入角度）にばらつきが生じて誤差となるため、例えば特許文献１のようなフランジの外側に測定装置を設置して締め代（隙間）を測定する方法も考案されている。
しかし、特許文献１に開示の測定装置は、フランジへの装着に手間が掛る上、フランジに装着するための当接片（治具）に磁石を組み込んで磁気吸着させることからステンレス製のフランジには適用できないこと、また、接合する両フランジの外側からネジで挟み込む構造のため、本来のボルト締め以外の力が掛ってしまうため、特に軟らかいパッキンを使用する場合などはその影響が出ることが懸念される。
【先行技術文献】
【特許文献】
【０００４】
【特許文献１】実開平５-４０８５１号
【発明の概要】
【発明が解決しようとする課題】
【０００５】
上記のゲージを挿入する方法のうち、リーフの交換が不要なテーパーゲージを用いる方法が最も簡単で手間の掛らない方法であることから、このゲージの隙間への貫入力や貫入角度を一定にするフランジ隙間計測治具を提供することを課題とする。
【課題を解決するための手段】
【０００６】
前記課題を解決するために、本発明に係るフランジ隙間計測治具は、楔型の貫入部の送出を行う該貫入部に回転可能に接合した目盛軸を設け、該目盛軸と同軸上に該目盛軸を設定トルク範囲で回転させるダイヤルを有し、前記目盛軸を支持するとともにフランジの外周面に当接するゲージベースを有し、前記ゲージベースと前記目盛軸とを螺合するよう構成したことを特徴とする。
これにより、フランジ間の隙間に一定の力で楔型の貫入部を貫入させるとともに、貫入角度や貫入部の姿勢を一定に保つことができ、測定者による測定値のばらつきを防止できる。
また、本発明に係るフランジ隙間計測治具は、前記ダイヤルがその円周方向から中心に向かって嵌入された複数のイモネジを有し、該イモネジに同軸上に貫入されたスプリングを有し、前記目盛軸と前記スプリングとの摩擦力によって前記目盛軸に回転トルクを伝達することを特徴とする。
【０００７】
これにより、イモネジの嵌入量によってダイヤルと目盛軸との接合部における摩擦力が設定でき、一定の回転トルク以上では滑りが生じて隙間への貫入部の貫入量が制限されるため、測定者による測定誤差を防ぐことができる。
また、本発明に係るフランジ隙間計測治具は、前記ゲージベースの上下端部にフランジの外周面に当接する凹部を有する支持板が設けられるとともに、複数の突起部を有し、フランジの外周面に沿って張設したゴムバンドを前記突起部に掛り止めして前記フランジに固定することを特徴とする。
これにより、フランジ隙間計測治具はゴムバンドの取付け・取り外しによって簡単に設置場所を変えられるため短時間で計測作業を行うことができる。
【発明の効果】
【０００８】
上記のような特徴を有するフランジ隙間計測治具によれば、測定対象のフランジに簡単かつ短時間で設置でき、また、測定者の力加減によらず一定の力でゲージを貫入でき、また貫入角度も一定となるため測定誤差の少ない隙間計測が可能となる。
【図面の簡単な説明】
【０００９】
【図１】本発明の実施例１を示す鳥瞰図。
【図２】本発明の実施例１の部分断面図。
【図３】本発明のダイヤルの断面図。
【図４】本発明の実施例２を示す鳥瞰図。
【発明を実施するための形態】
【００１０】
以下、図面に基づいて本発明の各実施例を説明する。
（実施例１）
図１は本発明の実施例１を示す鳥瞰図である。配管１０同士を接合するためのフランジ２０はパッキン２５を介してボルト３０およびナット４０で留められるが、フランジ２０の全周に亘って均等にボルト締めするために、隙間に楔型の貫入部６０を挿入してフランジ２０間の距離を測定しながら行う。貫入部６０には目盛軸７０が回転可能に接合され、さらに目盛軸７０と同軸上に目盛軸７０を設定トルク範囲で回転させるダイヤル８０が設けられている。目盛軸７０はゲージベース５０を貫通しており、その貫通部では目盛軸７０、ゲージベース５０ともネジ溝によって螺合するように構成されている。目盛軸７０には貫入部６０の高さＨを表す目盛７５が刻まれており、ダイヤル８０の側面の位置を目盛７５で読み取ることで前記Ｈが得られる。ゲージベース５０の上下端部にはフランジ２０の外周面に当接する凹部を有する支持板５２が設けられており、フランジ２０の接線に対して直角に貫入部６０が挿入されるため、治具の設置角度のばらつきが低減される。
【００１１】
図２は本発明の実施例１の部分断面図である。目盛軸７０がゲージベース５０を貫通する箇所は雄ネジ７６および雌ネジ７７によって螺合する構成となっている。目盛軸７０は貫入部６０にジョイント７８によって回転可能に接合されている。前記のようにフランジ２０間の隙間Ｈはダイヤル８０の側面の位置を目盛７５で読み取ることで得られる。なお、雄ネジ７６、雌ネジ７７の構成に代えてボールネジとナットによる構成とすると、目盛軸７０がより滑らかに回転する螺合が行える。
【００１２】
図３は本発明のダイヤルの断面図である。ダイヤル８０は外環８４の内部に内環８５を有し、さらに内環８５の内側に目盛軸７５が貫通している。外環８４と内環８５には９０°間隔でイモネジ８１が嵌入され、さらにイモネジ８１はスプリング８３を貫通し、平座金８２によってイモネジ８１とスプリング８３が留められ、スプリング８３の先端部と目盛軸７５が接触し結合される。目盛軸７５とスプリング８３との摩擦力を上回る回転トルクがダイヤル８０に加えられるとダイヤル８０は空転し、その結果、一定以上の回転トルクが目盛軸７５に掛らないようになっているため、測定者による測定値のばらつきが防止できる。
なお、上記の構成以外に、目盛軸７０への回転トルクを一定にする手段として、例えばひずみゲージをダイヤル８０と目盛軸７０との接触部に設けて、そこに掛る応力を測定しながら貫入力を調整するようにしても良い。
【００１３】
（実施例２）
図４は本発明の実施例２を示す鳥瞰図である。ゲージベース５０の上下部には突起部５１が複数設けられており、ゴムバンド８６またはゴムリングがフランジ２０の外周面に沿って張設されて突起部５１に掛り止めされる。これにより、支持板５２の凹部がフランジ２０の外周面にぴったりと当接し、治具の設置角度が一定となる。ゴムバンド８６またはゴムリングを外すことで、簡単にフランジ隙間計測治具の設置変更ができる上にフランジ２０への取付け姿勢も安定する効果がある。
【符号の説明】
【００１４】
１０………配管、２０………フランジ、２５………パッキン、３０………ボルト、４０………ナット、５０………ゲージベース、５１………突起部、５２………支持板、６０………貫入部、７０………目盛軸、７５………目盛、７６………雄ネジ、７７………雌ネジ、７８………ジョイント、８０………ダイヤル、８１………イモネジ、８２………平座金、８３………スプリング、８４………外環、８５………内環、８６………ゴムバンド、１００………隙間計測治具。
【図１】
2015059755.tif 000003
【図２】
2015059755.tif 000004
【図３】
2015059755.tif 000005
【図４】
2015059755.tif 000006